(57)【要約】【課題】長さ調節を容易に行うことができるストラップを提供する。【解決手段】ストラップ（２０）を、帯状に形成され、長手方向中間部が折り返されて形成された第１の折返端部（２１ａ）を備える本体部（２１）と、第１の折返端部から見て本体部の一方の領域を摺動可能に支持する第１の支持部（２５）、及び、本体部の他方の領域における第１の折返端部とは反対側に備えられた端部を支持する第２の支持部（２５ａ）を有し、一方の領域と第１の支持部との摺動を許容するフリー状態と該摺動を制限するロック状態との間を移行可能なロック機構（２４）とを備える構成とした。【選択図】図２
2009039415.tif 000002
【特許請求の範囲】
【請求項１】
帯状に形成され、長手方向中間部が折り返されて形成された第１の折返端部を備える本体部と、
前記第１の折返端部から見て前記本体部の一方の領域を摺動可能に支持する第１の支持部、及び、前記本体部の他方の領域における前記第１の折返端部とは反対側に備えられた端部を支持する第２の支持部を有し、前記一方の領域と前記第１の支持部との摺動を許容するフリー状態と該摺動を制限するロック状態との間を移行可能なロック機構と
を備えるストラップ。
【請求項２】
請求項１に記載のストラップにおいて、
前記他方の領域における前記第１の折返端部とは反対側に設けられた前記端部は、前記第２の支持部に対する前記本体部の長手方向の相対移動が制限された状態で前記第２の支持部に支持されること
を特徴とするストラップ。
【請求項３】
請求項１又は請求項２に記載のストラップにおいて、
帯状に形成され、使用者の身体に巻き掛けて使用される巻掛部と、
前記第１の折返端部を摺動可能に支持するとともに、前記巻掛部の端部に接続される第３の支持部と
をさらに備え、
前記本体部は、前記一方の領域における前記第１の折返端部とは反対側に備えられた端部が装着対象物に接続され、
前記ロック機構は、前記第３の支持部に対して前記本体部の長手方向に沿って相対移動可能に設けられたこと
を特徴とするストラップ。
【請求項４】
請求項１に記載のストラップにおいて、
帯状に形成され、使用者の身体に巻き掛けて使用される巻掛部と、
前記第１の折返端部を摺動可能に支持するとともに、前記巻掛部の端部に接続される第３の支持部と
をさらに備え、
前記第２の支持部は、前記本体部の前記他方の領域の長手方向中間部が折り返されて形成された第２の折返端部を摺動可能に支持し、
前記本体部は、前記他方の領域における前記第２の折返端部から見て前記第１の折返端部とは反対側に備えられた端部が前記第３の支持部に支持されるとともに、前記一方の領域における前記第１の折返端部とは反対側に設けられた端部が装着対象物に接続され、
前記ロック機構は、前記第３の支持部に対して前記本体部の長手方向に沿って相対移動可能に設けられたこと
を特徴とするストラップ。
【請求項５】
請求項４に記載のストラップにおいて、
前記第２の支持部は、前記本体部の幅方向に平行な軸線回りに回転可能な第１のローラを備え、
前記本体部は、前記第２の折返端部が前記第１のローラの外周面に巻き付けられていること
を特徴とするストラップ。
【請求項６】
請求項３から請求項５までのいずれか１項に記載のストラップにおいて、
前記第３の支持部は、前記本体部の幅方向に平行な軸線回りに回転可能な第２のローラを備え、
前記本体部は、前記第１の折返端部が前記第２のローラの外周面に巻き付けられていること
を特徴とするストラップ。
【発明の詳細な説明】
【技術分野】
【０００１】
本発明は、ストラップに関するものである。
【背景技術】
【０００２】
カメラや双眼鏡等に装着されるストラップにとしては、従来、長さ調整を容易に行えるようにしたものが知られている（例えば、特許文献１参照）。
【特許文献１】特開２００６−８７４７０号公報
【発明の開示】
【発明が解決しようとする課題】
【０００３】
上記従来のストラップは、例えば、首等に巻き掛けた状態で長さ調節を行うことが困難であった。
本発明の課題は、長さ調節を容易に行うことができるストラップを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、帯状に形成され、長手方向中間部が折り返されて形成された第１の折返端部（２１ａ）を備える本体部（２１）と、前記第１の折返端部から見て前記本体部の一方の領域を摺動可能に支持する第１の支持部（２５）、及び、前記本体部の他方の領域における前記第１の折返端部とは反対側に備えられた端部を支持する第２の支持部（２５ａ）を有し、前記一方の領域と前記第１の支持部との摺動を許容するフリー状態と該摺動を制限するロック状態との間を移行可能なロック機構（２４）とを備えるストラップ（１）である。
【０００５】
請求項２の発明は、請求項１に記載のストラップにおいて、前記他方の領域における前記第１の折返端部（２１ｂ）とは反対側に設けられた前記端部は、前記第２の支持部（２５ａ）に対する前記本体部（２１）の長手方向の相対移動が制限された状態で前記第２の支持部に支持されることを特徴とするストラップ（１）である。
請求項３の発明は、請求項１又は請求項２に記載のストラップにおいて、帯状に形成され、使用者の身体に巻き掛けて使用される巻掛部（１０）と、前記第１の折返端部（２１ｂ）を摺動可能に支持するとともに、前記巻掛部の端部に接続される第３の支持部（２２）とをさらに備え、前記本体部（２１）は、前記一方の領域における前記第１の折返端部とは反対側に備えられた端部が装着対象物（１００）に接続され、前記ロック機構（２４）は、前記第３の支持部に対して前記本体部の長手方向に沿って相対移動可能に設けられたことを特徴とするストラップ（１）である。
【０００６】
請求項４の発明は、請求項１に記載のストラップにおいて、帯状に形成され、使用者の身体に巻き掛けて使用される巻掛部（１０）と、前記第１の折返端部（４１ｂ）を摺動可能に支持するとともに、前記巻掛部の端部に接続される第３の支持部（４２）とをさらに備え、前記第２の支持部（４５ａ）は、前記本体部の前記他方の領域の長手方向中間部が折り返されて形成された第２の折返端部（４１ｃ）を摺動可能に支持し、前記本体部（４１）は、前記他方の領域における前記第２の折返端部から見て前記第１の折返端部とは反対側に備えられた端部が前記第３の支持部に支持されるとともに、前記一方の領域における前記第１の折返端部とは反対側に設けられた端部が装着対象物（１００）に接続され、前記ロック機構（４４）は、前記第３の支持部に対して前記本体部の長手方向に沿って相対移動可能に設けられたことを特徴とするストラップ（２）である。
【０００７】
請求項５の発明は、請求項４に記載のストラップにおいて、前記第２の支持部（６５ａ）は、前記本体部（６１）の幅方向に平行な軸線回りに回転可能な第１のローラ（６５ａ）を備え、前記本体部は、前記第２の折返端部（６１ｃ）が前記第１のローラの外周面に巻き付けられていることを特徴とするストラップ（４）である。
請求項６の発明は、請求項３から請求項５までのいずれか１項に記載のストラップにおいて、前記第３の支持部（６２）は、前記本体部（６１）の幅方向に平行な軸線回りに回転可能な第２のローラ（６２ｄ）を備え、前記本体部は、前記第１の折返端部（６１ｂ）が前記第２のローラの外周面に巻き付けられていることを特徴とするストラップ（４）である。
なお、符号を付して説明した構成は、適宜改良してもよく、また、少なくとも一部を他の構成物に代替してもよい。
【発明の効果】
【０００８】
本発明によれば、長さ調節を容易に行うことができるストラップを提供することができる。
【発明を実施するための最良の形態】
【０００９】
［第１実施形態］
以下、図面を参照して、本発明を適用したストラップの実施形態について説明する。なお、以下の実施形態は、ストラップとしてカメラ用のストラップを例にとって説明する。
図１は、第１実施形態のストラップの使用例の一例を示す図であり、ストラップを使用してカメラを使用者の首に巻き掛けた状態を示している。この図１において、（ａ）は、（ｂ）に比べ、ストラップの全長を長くした状態を示している。
【００１０】
ストラップ１は、全体的な形状が帯状とされており、長手方向の一方の端部がカメラ１００の一方の側面に接続され、長手方向の他方の端部がカメラ１００の他方の側面に接続されている。図１において、ストラップ１は、長手方向の中間部分が使用者の首に巻き掛けて使用されているが、例えば、使用者２００の肩等、身体の他の部分に巻き掛けて使用してもよい。
【００１１】
ストラップ１は、巻掛部１０と、この巻掛部１０の一方の端部とカメラ１００とを接続する第１の伸縮部２０と、巻掛部１０の他方の端部とカメラ１００とを接続する第２の伸縮部３０とを備えている。
【００１２】
巻掛部１０は、例えば、化学繊維材料等によって形成された帯状の部材であり、図１に示すように、長手方向の略中央部が使用者２００の首等に巻き掛けて使用される。
巻掛部１０の一方の端部には、図２に示すように、その一方の面部同士が対向するように折り返して形成された折返端部１１が設けられている。この折返端部１１において、対向する面部は、例えば、縫い合わされることによって固定されており、巻掛部１０の端部は、ループ状に形成されている。巻掛部１０は、図示を省略するが、他方の端部にもループ状に形成された折返端部を備えている。
【００１３】
次に第１の伸縮部２０の構造について説明する。
図２（ａ）〜（ｄ）は、図１に示すストラップに備えられた第１の伸縮部を拡大して示す平面図及び断面図である。この図２において、（ａ）及び（ｂ）は、（ｃ）及び（ｄ）に比べて伸縮部の全長を長くした状態を示している。また、図２において、（ａ）及び（ｃ）は、平面図、（ｂ）及び（ｄ）は、幅方向中央部分の断面図である。
第１の伸縮部２０は、図１及び図２に示すように、一方の端部がカメラ１００に対して接続され、他方の端部が巻掛部１０の一方の端部（折返端部１１）に接続されている。
【００１４】
第１の伸縮部２０は、本体部２１、接続部２２、第１のアジャスタ２３、及び、第２のアジャスタ２４を備えている。
本体部２１は、例えば、化学繊維材料等によって形成された帯状の部材である。
本体部２１の一方（カメラ１００側）の端部には、本体部２１の一方の面部（以下、裏面部と称する）同士が対向するように折り返して形成された折返端部２１ａが設けられている。これによって、本体部２１の一方の端部は、ループ状に形成されている。
カメラ１００の側面には、吊り環１０１と称される環状の部材が設けられており、上記ループ状に形成された本体部２１の折返端部２１ｂには、この吊り環１０１が挿通されている。
【００１５】
また、本体部２１の他方（巻掛部１０側）の端部にも、本体部２１の裏面部同士が対向するように折り返して形成された折返端部２１ｂが設けられている。これによって、本体部２１の他方の端部も、ループ状に形成されている。
【００１６】
接続部２２は、本体部２１と巻掛部１０とを接続する部材であり、例えば、合成樹脂材料によって矩形の環状に形成されている。それぞれループ状に形成された巻掛部１０の折返端部１１及び本体部２１の折返端部２１ｂには、この接続部２２が挿通されている。接続部２２は、巻掛部１０の折返端部１１、及び、本体部２１の折返端部２１ｂを摺動可能に支持している。
【００１７】
第１のアジャスタ２３は、第１の伸縮部２０の長手方向の寸法を調節（アジャスト）するためのものであり、第１の伸縮部２０におけるカメラ１００側の領域に設けられている。
第１のアジャスタ２３は、矩形の環状に形成された主枠部２３ａと、主枠部２３ａにおける対向する辺部にわたして設けられた棒状の部分である支持部２３ｂとを備えている。支持部２３ｂは、ストラップ１の幅方向に略平行に設けられている。
第１のアジャスタ２３は、例えば、合成樹脂材料によって形成された成型品であり、主枠部２３ａと支持部２３ｂとは、一体的に形成されている。
【００１８】
ここで、本体部２１のカメラ１００側の領域には、折返端部２１ａを形成することによって折り重なった領域（図２において、符号Ａ１を付す）が形成されている。この折り重なった領域Ａ１は、第１のアジャスタ２３の支持部２３ｂに巻き付けられている。第１の伸縮部２０は、この折り重なった領域Ａ１を長さを変更することによって、その全長を変更することができる。
第１のアジャスタ２３は、本体部２１の長手方向に張力が作用すると、上記折り重なった領域Ａ１を主枠部２３ａ及び支持部２３ｂが互いに異なる方向に押圧する。第１の伸縮部２０は、このときに本体部２１の裏面部間に発生する摩擦力によって、本体部２１が第１のアジャスタ２３から抜けることが防止される。
【００１９】
第２のアジャスタ２４は、第１のアジャスタ２３と同様に本体部２１の長手方向の寸法を調節するためのものであり、本体部２１における巻掛部１０側の領域に設けられている。
第２のアジャスタ２４は、ベース部２５とレバー部２６とを備えている。
ベース部２５は、本体部２１の裏面部に対向して配置された矩形板状の部材である。ベース部２５は、巻掛部１０側の端部近傍に本体部２１が通過可能な長孔部を備えており、巻掛部１０側の端部に棒状に形成された支持部２５ａが設けられている。
【００２０】
レバー部２６は、矩形板状に形成され、その一端側の両側面がベース部２５に対して軸部２６ａを介して軸支されている。レバー部２６は、ベース部２５に対向するロック位置と、このロック位置から軸部２６ａ回りに回転したフリー位置との間で移動可能になっている。図２は、フリー位置のレバー部２６を実線で示し、ロック位置のレバー部２６を破線で示している。
前述した本体部２１は、ベース部２５とレバー部２６との間を通過しており、ベース部２５は、第１の支持部として機能する。
【００２１】
レバー部２６は、軸部２６ａの近傍であって、ベース部２５に対向する面部にベース部２５側に突き出して設けられた爪部２６ｂを備えている。
爪部２６ｂは、フリー状態においては、本体部２１の通過経路から退避しており、本体部２１と第２のアジャスタ２４とは、本体部２１の長手方向に沿って相対移動可能になっている。これに対し、爪部２６ｂは、ロック状態において本体部２１の通過経路に突出して本体部２１をベース部２５に向けて押圧する。このロック状態では、爪部２６ｂが本体部２１に噛み込んでおり、本体部２１と爪部２６ｂとの摩擦力によって本体部２１をベース部２５に対してロック（係止）したロック状態となる。
【００２２】
ここで、前述したように、本体部２１の巻掛部１０側の端部には、本体部２１の長手方向中間部を折り返して形成した折返端部２１ｂが設けられている。
本体部２１のうち、折返端部２１ｂから見た一方の領域（図２において、符号Ｂ１を付す）は、前述したようにベース部２５とレバー部２６との間を通過し、他方の領域（図２において、符号Ｂ２を付す）は、この一方の領域Ｂ１と平行にカメラ１００側に折り返されている。
【００２３】
この他方の領域Ｂ２は、長手方向の中間部がさらにベース部２５の支持部２５ａに巻き付けられて接続部２２側（折返端部２１ｂ側）に折り返されており、支持部２５ａは、第２の支持部として機能する。以下、他方の領域Ｂ２のうち、折返端部２１ｂから支持部２５ａで折り返された部分までの領域を領域Ｃ１と称し、支持部２５ａで折り返された部分から、他方の領域Ｂ２に備えられた本体部２１の先端部までの領域を領域Ｃ２と称して説明する（図２（ｂ）参照）。
領域Ｃ２は、領域Ｃ１と一方の領域Ｂ１との間に配置され、領域Ｃ１に対して、例えば、縫い合わせられることによって固定されている。これによって、本体部２１の他方の領域Ｂ２は、第２のアジャスタ２４に対するストラップ１の長手方向の相対移動が制限された状態で、第２のアジャスタ２４のベース部２５に支持されている。
【００２４】
第２の伸縮部３０は、図１に示すように、第１の伸縮部２０と同様の構成（本体部３１、接続部３２、第１のアジャスタ３３（図示省略）、第２のアジャスタ３４）を備えており、ここではその説明を省略する。
【００２５】
次に、第１実施形態のストラップ１の使用方法を説明する。
本実施形態のストラップ１は、図１（ａ）に示す状態（ストラップの全長を長くした状態）と、（ｂ）に示す状態（ストラップの全長を短くした状態）との間で、ストラップ１の全長を任意の長さに設定して使用できるものである。
以下、第１の伸縮部２０の操作について説明するが、第１の伸縮部２０に対する操作と併せて、第２の伸縮部３０に対して同様の操作を行ってもよい。
【００２６】
図１（ａ）に示すストラップの全長が長い状態から、図１（ｂ）に示すストラップの全長を短くした状態に移行する際は、第２のアジャスタ２４のロック状態を解除し、この解除状態の第２のアジャスタ２４を、下方（カメラ側）に移動させる。この操作は、カメラ１００やストラップ１の巻掛部１０に触れることなく、第２のアジャスタ２４のみを摘んで下方に移動させる。
【００２７】
本体部２１は、第２のアジャスタ２４が接続部２２に対して下方（カメラ１００側）に移動すると、折返端部２１ｂが接続部２２に摺動して、折返端部２１ｂから見た他方の領域Ｂ２の全長が長くなり、これに応じて、折返端部２１ｂから見た一方の領域Ｂ１の全長が短くなる。これによって、一方の領域Ｂ１が他方の領域Ｂ２側に引き出されて一方の領域Ｂ１と他方の領域Ｂ２とが重なる長さが長くなり、第１の伸縮部２０の全長が短くなる（図２（ｃ）、（ｄ）参照）。
【００２８】
第１の伸縮部２０の全長が短くなることによってストラップ１の全長が所望の長さとなった場合、使用者は、第２のアジャスタ２４のレバー部２６を操作して、第２のアジャスタ２４をロック状態をする。第２のアジャスタ２４のロック状態では、本体部２１と第２のアジャスタ２４との摺動が制限されるので、ストラップ１の全長は、上記所望の長さで維持される。
【００２９】
また、図１（ｂ）に示すストラップの全長が短い状態から、図１（ａ）に示すストラップの全長を長くした状態に移行する際は、第２のアジャスタ２４のロック状態を解除し、この解除状態の第２のアジャスタ２４を、上方（巻掛部１０側）に移動させる。この後、ストラップ１の全長が所望の長さとなったら、レバー部２６を操作して第２のアジャスタ２４をロック状態をする。
【００３０】
以上説明した本実施形態のストラップ１によれば、以下の効果を得ることができる。
（１）第２のアジャスタ２４は、任意のポジション（本体部２１の長手方向の任意の位置）でフリー状態とロック状態との切り替えができるので、使用者２００は、例えば、体格等に合わせてストラップ１の長さを任意に調整して使用することができる。
（１）ストラップ１の長さを調整する作業は、巻掛部１０や伸縮部（第１の伸縮部２０及び第２の伸縮部３０）の本体部２１、カメラ１００に手を触れることなく、第２のアジャスタ２４のみをつまんで操作することによって行えるので、作業が容易である。
（３）第１の伸縮部２０（第２の伸縮部３０）は、巻掛部１０側の端部において、自由端が存在しないので、ストラップ１の長さを短くしても自由端を含む余剰部分が発生せず、ストラップ１の取り回しがよくなる。
【００３１】
［第２実施形態］
次に、本発明を適用したストラップの第２実施形態について説明する。この第２実施形態及び後述するその他の実施形態において、上述した第１実施形態と同様な機能を果たす部分には、同一の符号又は末尾に統一した符号を付して、重複する説明や図面を適宜省略する。
図３（ａ）〜（ｄ）は、第２実施形態のストラップに備えられた伸縮部を示す図である。
【００３２】
第２実施形態のストラップ２は、巻掛部１０と第１の伸縮部４０とを接続する接続部４２の構造、及び、ロック機構である第２のアジャスタ４４の構造が第１実施形態のストラップ１と異なっている。以下、この相違点について説明する。
第１実施形態の接続部２２が矩形の環状、すなわち、ひとつ孔のリングであったのに対し、第２実施形態の接続部４２は、ストラップ２の長手方向に沿って配列されたふたつの孔部を備え、棒状の部分がストラップ１の長手方向に沿って３本設けられている。以下、これらの棒状の部分を、巻掛部１０側から第１支持部４２ａ、第２支持部４２ｂ、第３支持部４２ｃと称して説明する。
【００３３】
巻掛部１０に設けられた折返端部１１は、接続部４２のうち第１支持部４２ａに巻き付けられている。
本体部４１における一方の領域Ｂ１と他方の領域Ｂ２との間に設けられた折返端部４１ｂは、第２支持部４２ｂに巻き付けられている。
ここで、第１実施形態において、他方の領域Ｂ２に含まれる領域Ｃ２は、対向して配置された第１の領域Ｃ１に対して固定されていたが、この第２実施形態において、他の領域Ｂ２は、第２のアジャスタ４４の支持部４５ａにおいて接続部４２側に折り返された後、さらに接続部４２の第３支持部４２ｃに巻き付けられて第２のアジャスタ４４（カメラ１００側）に折り返されている。
【００３４】
以下、本体部４１の他方の領域Ｂ２のうち、折返端部４１ｂから支持部４５ａで折り返された部分までの領域を第１の領域Ｃ１と、支持部４５ａで折り返された部分から第３支持部４２ｃで折り返された部分までの領域を領域Ｃ２と、第３支持部４２ｃで折り返された部分から本体部４１の先端部までの領域を領域Ｃ３と称して説明する。領域Ｃ３は、領域Ｃ１と領域Ｃ２との間に配置され、領域Ｃ２に対して、例えば、縫い合わせられることによって固定されている。
【００３５】
第２実施形態のストラップも、第１実施形態のストラップ１と同様に、第２のアジャスタ４４が下方（カメラ１００側）に移動されることによって、図３（ａ）、（ｂ）に示す状態から図３（ｃ）、（ｄ）に示す状態（図１（ｂ）参照）に移行する。
ここで、第２のアジャスタ４４がカメラ１００側に移動する際、接続部４２自体は移動せず、第２のアジャスタ４４は、接続部４２に対して移動する。接続部４２と第２のアジャスタ４４との距離が離れると、これに応じて本体部４１の折返端部４１ｂが接続部４２の第２支持部４２ｂに摺動し、また、領域Ｃ２と領域Ｃ３との間に形成された折返端部４１ｃがベース部４５の支持部４５ａに摺動する。これによって、一方の領域Ｂ１が他方の領域Ｂ２側に引き出されて、領域Ｃ１及び領域Ｃ２の距離が長くなる一方で、領域Ｂ１の距離が短くなり、第１の伸縮部４０の全長が短くなる。
【００３６】
図２に示す第１実施形態のストラップ１では、第２のアジャスタ２４の接続部２２に対する移動量と、第１の伸縮部２０の長さの変化量が略同じであったが、本第２実施形態のストラップ２は、第２のアジャスタ４４の移動量に対して、第１の伸縮部４０は約２倍の変化量でその長さが長く又は短くなる。
したがって、より少ない操作量でストラップ２の全長を変更することができるので、ストラップ２の長さを変更する作業を、より早く行うことができる。
【００３７】
［第３実施形態］
次に、本発明を適用したストラップの第３実施形態について説明する。
図４は、第３実施形態のストラップを示す図である。
第３実施形態のストラップ３は、第１実施形態のストラップの変形形態であり、第１の伸縮部５０と巻掛部１０とを接続する接続部５２が、本体部５１の折返端部５１ｂを摺動可能に支持する部分にローラ５２ａを備えている。このローラ５２ａの回転軸線は、ストラップ３の幅方向に平行になっており、本体部５１は、折返端部５１ｂがローラ５２ａの外周面に巻き付けられている。
【００３８】
この第３実施形態のストラップ３は、本体部５１と接続部５２とが摺動する際にこれらの間に発生する摩擦力を低減できるので、ストラップ３の長さ調整をより容易に行うことができ、使い勝手が向上する。
【００３９】
［第４実施形態］
次に、本発明を適用したストラップの第４実施形態について説明する。
図５は、第４実施形態のストラップを示す図である。
第４実施形態のストラップ４は、第２実施形態のストラップ２の変形形態であり、上記第３実施形態と同様に接続部６２が、本体部６１の折返端部６１ｂを摺動可能に支持するローラ６２ｄを備えている。また、ストラップ４は、第２のアジャスタ６４のベース部６５において、本体部６１の折返端部６１ｃを支持する部分にローラ６５ａが設けられている。
この第４実施形態のストラップ４も、第３実施形態と同様に、より小さな力でストラップ４の長さを変更することができる。
【００４０】
［変形形態］
本発明は、以上説明した実施形態に限定されることなく、種々の変形や変更が可能であって、それらも本発明の技術的範囲内である。
（１）本発明のストラップの構成は、実施形態に記載したものに限らず、適宜変形が可能である。例えば、実施形態のストラップは、巻掛部の両端部に伸縮部が設けられたが、これに限らず、巻掛部の一方の端部にのみ、伸縮部を備えていてもよい。
また、ストラップ自体を実施形態の伸縮部の構成を有するものとしてもよい。例えば、第１実施形態のストラップでは、本体部の一端にカメラの一方の吊り環が接続され、他端に巻き掛け部が接続されたが、この他端に他方の吊り環を接続してもよい。また、本体部の一端を吊り環に接続する一方で、他端になにも接続しない状態としてもよい。
（２）実施形態のストラップは、カメラに装着されたが、本発明のストラップが装着される装着対象物は、これに限られない。例えば、双眼鏡等の光学機器であってもよいし、携帯電話等の携帯型電子機器であってもよい。また、装着対象物は、鞄のようなものであってもよく、本発明を適用したストラップをショルダーバック等の吊り下げ紐や、リュックサック等の肩紐等に使用してもよい。
（３）実施形態のロック機構は、爪部がストラップに噛み込んでロック状態となるものであったが、ロック機構の構造は、これに限られない。
【図面の簡単な説明】
【００４１】
【図１】第１実施形態のストラップの使用例の一例を示す図であり、カメラをストラップを介して使用者の首に巻き掛けた状態を示している。
【図２】図１に示すストラップに備えられた第１の伸縮部を示す図である。
【図３】第２実施形態のストラップを示す図である。
【図４】第３実施形態のストラップを示す図である。
【図５】第４実施形態のストラップを示す図である。
【符号の説明】
【００４２】
１  ストラップ  ：  １０  巻掛部  ：  ２０  第１の伸縮部  ：  ２１  本体部  ：  ２１ａ  折返端部  ：  ２２  接続部  ：  ２４  第２のアジャスタ
【図１】
2009039415.tif 000003
【図２】
2009039415.tif 000004
【図３】
2009039415.tif 000005
【図４】
2009039415.tif 000006
【図５】
2009039415.tif 000007